(57)【要約】【課題】  車イスの身体障害者であっても容易に通り抜けることができるようにして、身体障害者における利便性を高めるとともに、ドアや車イスに傷を付けてしまう不具合を回避する。【解決手段】  閉方向Ｆｃに下り勾配となる傾斜した支持レール２ｒを有する支持レール機構２によりスライド自在に支持され、手動で開けかつ自動で閉じるドア３を備える半自動ドア装置１を構成するに際して、少なくとも設定した一つの開位置Ｘｓでドア３が停止するように、ドア３又はこのドア３に対する固定側部位４の一方にマグネット５を配設し、かつ他方にマグネット５が吸着する吸着部６を配設する。【選択図】  図１
0003101760.tif 000002
【実用新案登録請求の範囲】
【請求項１】
閉方向に下り勾配となる傾斜した支持レールを有する支持レール機構によりスライド自在に支持され、手動で開けかつ自動で閉じるドアを備える半自動ドア装置において、少なくとも設定した一つの開位置で前記ドアが停止するように、前記ドア又はこのドアに対する固定側部位の一方にマグネットを配設し、かつ他方に前記マグネットが吸着する吸着部を配設したことを特徴とする半自動ドア装置。
【請求項２】
前記ドアは、車イスに乗った身体障害者により操作可能な位置に配した取手部を備えることを特徴とする請求項１記載の半自動ドア装置。
【請求項３】
前記支持レール機構に対向する前記ドアの反対側に、前記ドアがガイドされるガイドレール機構を備えることを特徴とする請求項１記載の半自動ドア装置。
【考案の詳細な説明】
【技術分野】
【０００１】
本考案は、閉方向に下り勾配となる傾斜した支持レールを有する支持レール機構によりスライド自在に支持されるドアを備えた半自動ドア装置に関する。
【背景技術】
【０００２】
従来、閉方向に下り勾配となる傾斜した支持レールを有する支持レール機構によりスライド自在に支持され、手動で開けるとともに自動で閉じるドアを備える半自動ドア装置としては、例えば、特開２００１−８２０２３号公報で開示される半自動ドア装置が知られている。
【０００３】
同公報で開示される半自動ドア装置は、戸口上方に戸閉鎖方向に下り傾斜をつけて設けられた、上方軌条部分と下方軌条部分を有する戸口側レールと、戸袋上方に戸閉鎖方向に下り傾斜をつけて設けられた、上部軌条部分と下部軌条部分を有する戸袋側レールと、戸口側レールの上方軌条部分を転動する上方ローラ、下方軌条部分を転動する下方ローラを設け、この上方ローラと下方ローラが複数設けられ、或いはいずれか一方が複数設けられてなる、戸口側レールに支持案内されて自在に移動するように設けられた戸口側スライダと、戸袋側レールの上方軌条部分を転動する上方ローラ、下方軌条部分を転動する下方ローラを設け、この上方ローラと下方ローラが複数設けられ、あるいはいずれか一方が複数設けられてなる、戸袋側レールに支持案内されて自在に移動するように設けられた戸袋側スライダと、戸口側スライダに戸口側端方を吊られ、戸袋側スライダに戸袋側端方を吊られ、戸袋側から戸口側に向かって戸口側レールと戸袋側レールの傾斜により自然に滑り移動するように設けられたドアとにより構成したものである。
【特許文献１】特開２００１−８２０２３号
【考案の開示】
【考案が解決しようとする課題】
【０００４】
しかし、上述した従来の半自動ドア装置は、次のような解決すべき課題が存在した。
【０００５】
第一に、健常者は、開けたドアを手で止めながら通り抜けることができるが、車イスの身体障害者は、車イスを手で操作しながら通り抜ける必要があるため、閉まるドアが車イスに当たってしまうなど、身体障害者にとっては極めて不便であるとともに、ドアや車イスに傷を付けてしまうなどの不具合も生じる。
【０００６】
第二に、ドアは、上方に配した支持レールにより支持されるとともに、他方、車イスの身体障害者は、ドアの下部側を操作しなければならないため、支持レールに対して片寄った大きな応力が付加されやすく、ドアを安定かつ円滑に開けにくい。
【０００７】
本考案は、このような背景技術に存在する課題を解決した半自動ドア装置の提供を目的とするものである。
【課題を解決するための手段】
【０００８】
本考案は、上述した課題を解決するため、閉方向Ｆｃに下り勾配となる傾斜した支持レール２ｒを有する支持レール機構２によりスライド自在に支持され、手動で開けかつ自動で閉じるドア３を備える半自動ドア装置１を構成するに際して、少なくとも設定した一つの開位置Ｘｓでドア３が停止するように、ドア３又はこのドア３に対する固定側部位４の一方にマグネット５を配設し、かつ他方にマグネット５が吸着する吸着部６を配設したことを特徴とする。
【考案の効果】
【０００９】
このような構成を有する本考案に係る半自動ドア装置１によれば、次のような顕著な効果を奏する。
【００１０】
（１）  ドア３は、少なくとも設定した一つの開位置Ｘｓで停止して開状態が確保されるため、車イスの身体障害者であっても容易に通り抜けることができ、身体障害者における利便性を高めることができる。
【００１１】
（２）  閉まるドア３が車イスに当たってドア３や車イスに傷を付けてしまう不具合を回避することができる。
【考案を実施するための最良の形態】
【００１２】
本考案に係る半自動ドア装置１によれば、最良の形態により、ドア３は、車イスの身体障害者により操作可能な位置に配した取手部７を備えるとともに、支持レール機構２に対向するドア３の反対側に、ドア３がガイドされるガイドレール機構８を備える。これにより、車イスの身体障害者であっても、取手部７により無理なくドア３を開けることができることに加え、ガイドレール機構８により安定かつ円滑に開けることができる。
【実施例】
【００１３】
次に、本考案に係る好適な実施例を挙げ、図面に基づき詳細に説明する。
【００１４】
まず、本実施例に係る半自動ドア装置１の構成について、図１〜図４を参照して具体的に説明する。
【００１５】
図１において、３はドアを示す。例示のドア３は、全体を木板Ｂとプラスチック板（又は紙）Ｐにより形成した比較的軽量の和風ドアであり、軽い操作と静かな移動を確保できる。特に、取手部７は、健常者及び車イスの身体障害者の双方が無理なく操作できるように、ドア３の下部から中央付近にかけた凹部により形成してある。また、ドア３の上端辺と下端辺は、閉方向Ｆｃに下り勾配となる傾斜辺により形成する。
【００１６】
他方、１１は戸口側の縦枠、１２は戸袋側の縦枠をそれぞれ示す。この縦枠１１と１２の上端間には、傾斜した支持レール２ｒを架設する。この場合、図２に示すように、支持レール２ｒの傾斜角Ｒは、ドア３が閉方向Ｆｃに対して下り勾配となるように、ドア３の重量等を考慮して適切な角度に設定する。また、縦枠１１と１２の下端間における床面１３上には、ドア３が閉方向Ｆｃに下り勾配となる傾斜した上面を有する下枠１４を敷設する。この場合、下枠１４は、ドア３と床面１３間の隙間を埋めるためのものであり、通行方向に段差の無いゆるやかなスロープにより形成する。
【００１７】
支持レール２ｒは、図３に示すように、断面を矩形枠形に形成し、下面部の中央には、長手方向に沿ったスリットＳを形成する。一方、ドア３の上端辺には、図１に示すように、離間した一対のローラユニット１５ａ，１５ｂを取付ける。この一対のローラユニット１５ａ，１５ｂと支持レール２ｒにより支持レール機構２を構成する。一方のローラユニット１５ｂは、図２に示すように、ドア３の上端辺（上端面）に、ネジＮ…により固定する取付プレート１６と、この取付プレート１６から上方に起立した吊下ピン１７と、この吊下ピン１７の上端を支持するローラ支持ブロック１８と、移動方向に対し直角の水平軸により回動自在に支持され、かつローラ支持ブロック１８における側面の前後左右に配した四つのローラ１９…と、移動方向に対し直角の垂直軸により回動自在に支持され、かつローラ支持ブロック１８における下面の前後に配した一対のローラ２０…を備える。
【００１８】
この場合、取付プレート１６は、吸着部６として機能するため、後述するマグネット７が吸着可能な鋼材等の磁性材により形成するとともに、取付プレート１６の一端部の位置は、図２に示すように、ドア３の後端部に略一致するように取付ける。なお、他方のローラユニット１５ａも、ローラユニット１５ｂと同一のものを使用する。この場合、ローラユニット１５ａは、ドア３の前端部に取付けるとともに、ローラユニット１５ｂに対して向きが対称となるように取付け、前後の重量バランスをとる。これにより、ローラユニット１５ａ，１５ｂは、支持レール２ｒの内部に装填することができ、装填した際には、図３に示すように、ローラ１９…は、支持レール２ｒの下面部に載るとともに、ローラ２０…は、支持レール２ｒのスリットＳに係合し、ドア３は、支持レール機構２によりスライド自在に支持される。
【００１９】
他方、ドア３に対する固定側部位４、即ち、図２に示すように、戸袋側の縦枠１２の上端付近であって、取付プレート１６の一端部に対向する位置には、マグネット５を取付ける。これにより、ドア３を全開させた開位置Ｘｓでは、取付プレート１６の一端部がマグネット５に吸着し、ドア３を停止させることができる。
【００２０】
さらに、支持レール機構２に対向するドア３の反対側には、ドア３がガイドされるガイドレール機構８を配設する。ガイドレール機構８は、図１及び図４に示すように、ドア３の下端辺（下端面）に形成したガイドスリット３１と、下枠１４の上面に起設し、かつガイドスリット３１に係合する係合ピン３２を備える。ガイドスリット３１は、ドア３の下端面における中央位置に、長手方向に沿って形成するとともに、係合ピン３２は、支持ピン部３３と、この支持ピン部３３の上端部に回動自在に支持されたローラ３４を備える。また、ガイドスリット３１の内部には、例えば、鋼材により形成し、前述した一対のローラユニット１５ａ，１５ｂに対して、上下の重量バランスをとるためのフラットバー３５を固定する。このようなガイドレール機構８とフラットバー３５を設けることにより、ドア３の振れを防止し、特に、車イスの身体障害者であってもドア３を安定かつ円滑に開けることができる。なお、戸袋側の両側面には、一対の壁面パネル４１…を付設するとともに、支持レール２ｒの両側には、カバーパネル４２…を付設する。
【００２１】
次に、本実施例に係る半自動ドア装置１の動作（機能）について、各図を参照して説明する。
【００２２】
まず、自然状態におけるドア３は、図１に示す閉状態となる。この閉状態において、今、車イスの身体障害者がドア３を開けて戸口を通り抜ける場合を想定する。この場合、車イスの身体障害者は、閉じたドア３に近付き、取手部７を利用してドア３を開ける。この際、取手部７は、車イスの身体障害者が無理なく操作できるように、ドア３の下部にかけて形成され、また、ドア３の下端には、ガイドレール機構８及びフラットバー３５が設けられるため、車イスの身体障害者は、ドア３を容易に開けることができるとともに、安定かつ円滑に開けることができる。
【００２３】
一方、ドア３を、図２に仮想線で示す全開となる開位置Ｘｓまで移動させれば、ローラユニット１５ｂの取付プレート１６がマグネット５に当接し、取付プレート１６がマグネット５に吸着することにより、ドア３は、開位置Ｘｓで停止する。したがって、戸口（ドア３）の全開状態が確保されるため、車イスの身体障害者であっても容易に通り抜けることができ、身体障害者における利便性が高められる。また、閉まるドア３が車イスに当たってドア３や車イスを傷付ける不具合が回避される。
【００２４】
そして、車イスの身体障害者は、戸口を通り抜けたなら、取手部７を利用してドア３を閉方向Ｆｃへ若干引張ればよい。これにより、マグネット５と取付プレート１６の吸着が解除され、以後は、取手部７から手を離しても、ドア３は、傾斜した支持レール２ｒに沿って、図１に示す閉位置Ｘｃまで移動する。即ち、ドア３は自動で閉じられる。なお、健常者は、一般的なドアの場合と同様に、必要なだけドア３を開けて通り抜けることができる。
【００２５】
以上、実施例について詳細に説明したが、本考案は、このような実施例に限定されるものではなく、細部の構成，形状，素材，数量，数値等において、本考案の要旨を逸脱しない範囲で、任意に変更，追加，削除することができる。
【００２６】
例えば、マグネット５と吸着部６の配設位置は、任意の位置を選定することができる。また、ドア３が全開した位置Ｘｓで停止させる場合のみならず、幅広ドアの場合には、全開する位置Ｘｓよりも手前に設定した所定の開位置Ｘｓで停止させてもよい。さらに、一又は二以上の半開位置と全開位置等のように、開位置Ｘｓ…を複数位置に設定してもよい。一方、マグネット５として電磁石を使用し、開ける際に取手部７に触れた手で第一スイッチがＯＮすることにより電磁石が励磁され、かつ閉じる際に取手部７に触れた手で第二スイッチがＯＮすることにより電磁石の励磁が解除されるように構成することもでき、マグネット５は電磁石も含む概念である。また、吸着部６にはマグネットも含まれる。なお、実施例は、一般住宅向けのドア３を例示したが、病院等の各種施設におけるドア３に用いても好適である。
【図面の簡単な説明】
【００２７】
【図１】本考案の好適な実施例に係る半自動ドア装置の一部断面正面図、
【図２】同半自動ドア装置の要部を示す一部断面拡大図、
【図３】同半自動ドア装置における支持レール機構の断面側面図、
【図４】同半自動ドア装置におけるガイドレール機構の断面側面図、
【符号の説明】
【００２８】
１    半自動ドア装置
２    支持レール機構
２ｒ  支持レール
３    ドア
４    固定側部位
５    マグネット
６    吸着部
７    取手部
８    ガイドレール機構
Ｆｃ  閉方向
Ｘｓ  開位置
【図１】
0003101760.tif 000003
【図２】
0003101760.tif 000004
【図３】
0003101760.tif 000005
【図４】
0003101760.tif 000006